(57)【特許請求の範囲】
【請求項１】
ミシン本体に接続及び非接続可能な外部記憶媒体であって、模様を形成するための情報と、該模様を表示するための情報と、その記憶媒体を識別するための情報とを有する外部記憶媒体と、
前記外部記憶媒体から、前記表示するための情報と識別するための情報とを読み出して記憶する手段と、
所定の模様を形成するための情報と、該模様を表示するための情報を有する内部記憶媒体と、
前記記憶する手段と前記内部記憶媒体の中の少なくとも一方に記憶された模様を選択するための手段と、
前記選択するための手段による選択に対応し、前記記憶する手段と内部記憶媒体の少なくとも一方に記憶された表示するための情報に基づいて前記模様を表示可能であり、前記記憶する手段に記憶された識別するための情報に基づいて前記外部記憶媒体を識別するための情報を表示可能であり且つ前記選択するための手段による選択に対応して内部記憶媒体である旨の情報を表示可能な表示手段と、を備え；
該表示手段が、前記外部記憶媒体の模様が選択され、表示された時は該記憶媒体を識別するための情報を表示し、前記内部記憶媒体の模様が選択され、表示された時は内部記憶媒体である旨の情報を表示する、
ことを特徴とする外部記憶媒体の模様情報に基づく刺繍縫いが可能なミシン。
【請求項２】
前記外部記憶媒体と内部記憶媒体の少なくとも一方に記憶された模様を表示するための情報を組み合わせて前記表示手段に組み合わせ模様を表示させる手段と、
該手段により組み合わされた組み合わせ模様の刺繍縫いをミシン本体の刺繍縫い機構に実行させる手段と、を更に備えた、
請求項１に記載の外部記憶媒体の模様情報に基づく刺繍縫いが可能なミシン。
【請求項３】
前記表示手段が、組み合わせ模様の刺繍縫いを実行するに必要な外部記憶媒体を識別するための情報を、前記記憶する手段に記憶された識別するための情報に基づいて表示する、
請求項２に記載の外部記憶媒体の模様情報に基づく刺繍縫いが可能なミシン。
【発明の詳細な説明】
【０００１】
【産業上の利用分野】
この発明は外部記憶媒体の模様情報に基づく刺繍縫いが可能なミシンに関する。
【０００２】
【従来の技術】
刺繍縫い機構を備えたミシンにおいて、ＲＯＭカード等の外部記憶媒体から模様データを入力して刺繍縫いを実行できるように構成されたミシンが知られている。このようなミシンにおいては、ユーザが任意のＲＯＭカードを購入して模様データを得ることができ、また新規の模様データを順次販売できる等の利点を有している。
またミシン本体に更にメモリを備えて、ここに使用頻度の高い模様データを内蔵させ、ＲＯＭカードの模様データと併用できるように構成したものも知られている。
【０００３】
【発明が解決しようとする課題】
しかし、ＲＯＭカード等の外部記憶媒体を用いる場合には、刺繍模様を選択する際に、どの外部記憶媒体にどのような模様が入力されているか分かりずらく、その都度外部記憶媒体を差し替えて確認しなければならない欠点がある。
また、異なる外部記憶媒体に格納された模様を組み合わせて刺繍縫いを行う際に、予め希望する模様が格納されている外部記憶媒体を夫々ミシンに接続して模様を確認し、模様の組み合わせ決定した上で、実際に刺繍縫いを行う時に再度外部記憶媒体を一個づつ接続して縫いを行う必要がある等、非常に手間が掛かる欠点があった。
本発明は上記した従来技術の問題点を解決することを目的とする。
【０００４】
【課題を解決するための手段及び作用】
上記目的を達成するために本発明の外部記憶媒体の模様情報に基づく刺繍縫いが可能なミシンは、ミシン本体に接続及び非接続可能な外部記憶媒体であって、模様を形成するための情報と、該模様を表示するための情報と、その記憶媒体を識別するための情報とを有する外部記憶媒体と、前記外部記憶媒体から、前記表示するための情報と識別するための情報とを読み出して記憶する手段と、所定の模様を形成するための情報と、該模様を表示するための情報を有する内部記憶媒体と、前記記憶する手段と前記内部記憶媒体の中の少なくとも一方に記憶された模様を選択するための手段と、前記選択するための手段による選択に対応し、前記記憶する手段と内部記憶媒体の少なくとも一方に記憶された表示するための情報に基づいて前記模様を表示可能であり、前記記憶する手段に記憶された識別するための情報に基づいて前記外部記憶媒体を識別するための情報を表示可能であり且つ前記選択するための手段による選択に対応して内部記憶媒体である旨の情報を表示可能な表示手段と、を備え；該表示手段が、前記外部記憶媒体の模様が選択され、表示された時は該記憶媒体を識別するための情報を表示し、前記内部記憶媒体の模様が選択され、表示された時は内部記憶媒体である旨の情報を表示する、ことを特徴とする。
上記構成により、どの外部記憶媒体或いは内部記憶媒体にどのような模様を形成するための情報が記憶されているのか知ることができる。また模様を選択した場合、該選択した模様がどの外部記憶媒体に記憶されているか或いは内部記憶媒体に記憶されているか認識できる。また、模様の組み合わせ等を決定すること等も、外部記憶媒体の接続をその都度行うことなく可能になる。内部記憶媒体には使用頻度の高い模様情報を記憶しておく等の使用方法が可能である。
更に前記記憶媒体に記憶された模様を表示するための情報を組み合わせて前記表示手段に組み合わせ模様を表示させる手段と、該組み合わせ模様を表示させる手段により表示上組み合わされた組み合わせ模様の刺繍縫いをミシン本体の刺繍縫い機構に実行させる手段を設けて模様の組み合わせを簡単に行えるように構成することも可能である。これにより外部記憶媒体の接続をその都度行うことなく、組み合わせ模様を決定することが可能になる。
前記表示手段に、前記組み合わせ模様の刺繍縫いを実行するに必要な外部記憶媒体の識別情報を、前記記憶する手段に記憶された識別するための情報に基づいて表示させるように構成することも可能であり、この構成により模様の刺繍縫い実行の際に、必要とする外部記憶媒体を簡単に知ることが可能になる。
【０００５】
【実施例】
以下本発明の一実施例を図面に基づいて説明する。
図１は機能ブロック図、図２はハード構成の一例を示すブロック図である。
図１において、外部記憶媒体１（外部記憶媒体）はミシン本体Ａとは別体に構成され、ミシン本体Ａに装着して読み出し手段７によりその記憶内容を読み出すことが可能に構成されている。外部記憶媒体１には、文字や記号或いは図形等の模様データが格納されており、この模様データは縫い目形成データと表示データ及び識別コードとから構成されている。縫い目形成データはミシン本体Ａに備えられた刺繍縫い可能な縫い目形成機構８を駆動するためのデータであり、表示データは表示制御手段５を介して液晶表示或いはＣＲＴ等の表示手段３に模様形状を表示するためのデータである。識別コードは当該外部記憶媒体１を識別するためのコードであり、各外部記憶媒体１毎に固有のコードが割り当てられている。
【０００６】
読み出し手段７は外部記憶媒体１の記憶内容を読み出して、その模様データを表示制御手段５（組み合わせ模様を表示させる手段）と縫い実行制御手段６に送るようになっている。表示制御手段５は表示手段３を制御して表示データに基づく表示を行わせると共に該表示上で模様の組み合わせを行うためのものであり、操作者が表示手段３（表示手段）に表示された模様を見ながら、模様の組み合わせを実行できるようになっている。縫い実行制御手段６は読み出し手段７からの模様データの中の縫い目形成データに基づいて縫い目形成機構８を制御して、当該模様を形成する刺繍縫い目を形成させるようになっている。
上記した読み出し手段７、表示制御手段５、表示手段３、縫い実行制御手段６（実行させる手段）、縫い目形成機構８は従来より知られた構成のものを採用すれば良い。例えば表示制御手段５は単純に模様を組み合わせる構成のものでも良いし、或いは模様の間隔、位置関係、大きさ、等を調整できるように構成したものであってもよい。また縫い実行制御手段６は各縫い目を座標データで表した縫い目形成データに基づいて縫いを実行させるものであっても良いし、或いは模様の頂点のみを定義した所謂頂点データに基づいて縫いを実行させる構成のものであっても良い。
【０００７】
読み出し手段７は所定の操作或いは指令に応じて表示データ及び識別コード登録モードを実行するように構成されており、外部記憶媒体１から読み出した模様データの中の識別コードと表示データのみを表示／識別情報記憶手段２（前記外部記憶媒体から、前記表示するための情報と識別するための情報とを読み出して記憶する手段）に送り、識別コードと表示データを関連付けて記憶させるようにに構成されている。
操作者が予め複数の外部記憶媒体１を順次読み出し手段７により読み出させて、表示データと識別コードの登録を行わせると、表示／識別情報記憶手段２には図示するように各外部記憶媒体Ａ〜Ｎ毎にその識別コードＡ〜Ｎと表示データａ１〜ａn、ーーーーーー、ｎ１〜ｎnが関連付けて登録されるようになっている。
そして、表示／識別情報記憶手段２に登録された識別コードと表示データは所定の操作或いは指令に応じて表示制御手段５を介して表示手段３に表示されるように構成されている。
なお、表示／識別情報記憶手段２はミシン本体Ａのスイッチを切っても記憶内容が消えない構成になっており、一度データを登録すると、特に該データの削除操作をしない限り、保存されるようになっている。
【０００８】
この実施例では更に、ミシン本体Ａ内部に内部記憶媒体４（内部記憶媒体）を備えており、ここに使用頻度の高い模様データを予め格納するように構成されている。このデータも同様に表示制御手段５に供給されて表示手段３に表示され、或いは模様組み合わせに使用され、組み合わせ模様として表示される。また、縫い実行制御手段６を介して縫い目形成機構８により模様縫いが実行されるようになっている。
【０００９】
操作者は予め外部記憶媒体１を読み出し手段７に読み取らせて表示／識別情報記憶手段２に識別コードと表示データとを登録しておけば、表示手段３を見ながら、表示データ登録済みの全ての外部記憶媒体１の模様と内部記憶媒体４に格納された模様の選択を行うことができる。また、模様の組み合わせを行う場合にも、表示制御手段５により表示手段３を見ながら、登録済みの外部記憶媒体１の模様どうし、或いは外部記憶媒体１の模様と内部記憶媒体４の模様、更に内部記憶媒体４の模様どうしの組み合わせを行うことができる。
該表示手段３には模様表示だけでなく、該表示された模様が格納されている外部記憶媒体１を特定する識別コードも表示されるように構成されているから、実際に縫いを実行する際には表示手段３の表示に従って所定の外部記憶媒体１を選択し、これをミシン本体Ａに装着して読み出し手段７により模様データを読み取らせれば良い。
【００１０】
縫い実行制御手段６は表示手段３に表示された模様或いは模様の組み合わせに関する情報を表示制御手段５から入力し、該模様又は組み合わせ模様に応じた縫い目形成データを外部記憶媒体１又は内部記憶媒体４から入力して、縫い目形成機構８を制御して選択された模様或いは組み合わされた模様の刺繍縫いを実行するようになっている。
【００１１】
図２により具体的な構成を更に詳細に説明する。
中央演算処理装置１０はマイクロコンピュータを主体に構成されており、ミシン本体Ａの基本的な制御と共に、前記表示制御手段５と縫い実行制御手段６の機能及び読み出し手段７の一部の機能を果たすようになっている。
中央演算処理装置１０にはＲＯＭカードリーダ１７が接続されており、外部記憶媒体であるＲＯＭカード１１（外部記憶媒体）に格納された模様データをこのＲＯＭカードリーダ１７で読み出して、入力するようになっている。ＲＯＭカードリーダ１７と中央演算処理装置１０の間にはスイッチ装置１８が介在しており、ＲＯＭカード１１の抜き差しの際にＲＯＭカードリーダ１７と中央演算処理装置１０の間の接続を断って、ＲＯＭカード１１の装脱着時のノイズによる悪影響を排除するようになっている。
なお、外部記憶媒体としては、ＲＯＭカードの他にフレキシブルディスク等の磁気記憶媒体、コンパクトディスク等の光記憶媒体、或いはＰＲＯＭ、ＥＰＲＯＭ、ＥＥＰＲＯＭ、ＲＡＭ等の他の半導体メモリ等を使用可能である。
【００１２】
中央演算処理装置１０には表示データ登録指令キー２３が接続されており、操作者が表示データ登録指令キー２３を操作することにより、中央演算処理装置１０は表示データ及び識別コードの登録モードを実行するようになっている。即ち、ＲＯＭカード１１から表示データと識別コードを読み出して、識別コード毎に表示データを表示データ／識別コード記憶装置１２（前記外部記憶媒体から、前記表示するための情報と識別するための情報とを読み出して記憶する手段）に格納するようになっている。
表示データ／識別コード記憶装置１２としては、ミシン本体の電源を切っても登録されたデータが消えないタイプの記憶装置を用いる。またデータの書き換え可能な構成が望ましく、具体的には不揮発性ＲＡＭやＥＰＲＯＭ或いはＥＥＰＲＯＭ等を用いることができる。
【００１３】
中央演算処理装置１０にはまた内蔵模様データ記憶装置１４が設けられており、予め決められた模様データがここに格納されている。そして模様選択キー２０（前記記憶する手段と前記内部記憶媒体の中の少なくとも一方に記憶された模様を選択するための手段）が設けられ、操作者が模様選択キー２０を操作することにより内蔵模様データ記憶装置１４に格納された模様データの中の表示データ或いは表示データ／識別コード記憶装置１２に登録された表示データを用いて、表示装置１３（表示手段）に当該模様が表示されるようになっている。
【００１４】
この実施例では、表示装置１３には模様と共にその模様データが格納された記憶装置、即ちＲＯＭカード１１であればその識別コード表示がなされ、また内蔵模様データ記憶装置１４であればその旨の表示がなされるようになっている。
なお、模様選択のための構成には、模様を識別する番号の入力や或いは表示装置１３に縮小模様を多数表示させてタッチパネルで模様を選択する等種々の構成を採用することが可能である。
【００１５】
中央演算処理装置１０には組み合わせ指定キー２１が設けられており、ＲＯＭカード１１に格納された模様と内蔵模様データ記憶装置１４に格納された模様の中の模様を任意に組み合わせることが可能なっている。中央演算処理装置１０は組み合わせ指定キー２１による組み合わせの指令があると、表示データ／識別コード記憶装置１２からの表示データ或いは内蔵模様データ記憶装置１４からの表示データに基づいて、表示データの合成を行い、これを表示装置１３に表示させるように構成されている。
【００１６】
なお、表示切り替えキー２２は表示装置１３の表示モードを切り換えるもので、例えば前記したような模様選択や模様組み合わせのモードと通常の縫いを実行する場合のモード等とを切り換えるためのキーである。
【００１７】
中央演算処理装置１０はモータ駆動回路３０を介してＸ方向モータ３１とＹ方向モータ３２を制御し、図３に示す刺繍枠３３をＸＹ方向に移動させて、刺繍縫いを実行させるようになっている。また同様に針３４及び送り機構（図示せず）を制御して縫いを実行させるようになっている。この縫いの制御は始動／停止指令キー２４に基づいて行うようになっている。
中央演算処理装置１０は前記したように模様選択キー２０により選択された模様或いは組み合わせ指定キー２１の操作により組み合わされた模様の縫い目形成データをＲＯＭカード１１或いは内蔵模様データ記憶装置１４から読み出して、該縫い目形成データに基づいてモータ駆動回路３０を制御し、該模様の刺繍縫いを実行させるようになっている。ＲＯＭカード１１或いは内蔵模様データ記憶装置１４からの縫い目形成データは一時記憶装置１５に一時記憶させて用いても良いし、一時記憶させずに直接用いても良い。
前記選択された模様或いは組み合わされた模様の刺繍縫いに必要なＲＯＭカード１１の識別記号は表示装置１３に表示され、刺繍縫いの進行に対応して、ＲＯＭカード１１の交換を促すカード交換表示や交換が行われたことを示すカード装着表示がなされるように構成されている。
【００１８】
図３はミシン本体Ａの外観図であり、表示装置１３及び模様選択キー２０、組み合わせ指定キー２１、表示切り替えキー２２、表示データ登録指令キー２３、始動／停止指令キー２４等は機枠のアーム上に配設されている。また、ＲＯＭカードリーダ１７のスロットル部が本体の右脇に設けられており、ここからＲＯＭカード１１を抜き差しするように構成されている。ＲＯＭカード１１を装着する際にはＲＯＭカード１１を単にスロットルに押し込み、ＲＯＭカード１１を取り出す際にはＲＯＭカード取出し釦２５を操作することによりＲＯＭカード１１を排出するように構成されている。なお、ＲＯＭカード１１の装着時にはＲＯＭカード１１の装着検出信号が中央演算処理装置１０に送られ、またＲＯＭカード取出し釦２５操作時にはその旨の信号が中央演算処理装置１０に送られ、該信号に対応してスイッチ装置１８のオンオフ制御が行われるようになっている。
【００１９】
図４により識別コード及び表示データ登録の動作を説明する。
中央演算処理装置１０は表示データ登録指令キー２３の操作があると、登録モードに入る（ステップＳ１）。操作者がＲＯＭカード１１をＲＯＭカードリーダ１７に装着すると（ステップＳ２）、中央演算処理装置１０から記憶指令が出力され（ステップＳ３）、ＲＯＭカード１１に格納された識別コードと表示データが表示データ／識別コード記憶装置１２に記憶される（ステップＳ４）。そして、次のＲＯＭカード１１の登録を行う場合にはステップＳ２に戻り（ステップＳ５）、次の登録を行わない場合には表示データ登録指令キー２３を再度操作して登録モードを終了する。
【００２０】
ＲＯＭカード１１の交換の際には、前記したようにスイッチ装置１８のオンオフが行われる。この動作を図５に示す。
ＲＯＭカード取出し釦２５の操作によりＲＯＭカード１１の取り出し動作が検出されると（ステップＳ１０）、スイッチ装置１８がオフとなりＲＯＭカードリーダ１７と中央演算処理装置１０とが遮断される（ステップＳ１１）。これにより、ＲＯＭカード１１交換の際のノイズ等による誤動作を防止できる。ＲＯＭカード１１が交換され（ステップＳ１２）、ＲＯＭカード１１のスロットルへの装着が検出されると（ステップＳ１３）、スイッチ装置１８が再度オンになる（ステップＳ１４）。
そして再びＲＯＭカード１１の取り出し動作により上記ステップが繰り返される。
【００２１】
以上のように一度識別コードと表示データを表示データ／識別コード記憶装置１２に登録しておけば、以後の模様選択或いは模様組み合わせは表示データ／識別コード記憶装置１２の表示データを使用して実行することが可能になる。
この模様選択及び組み合わせの動作を図６により説明する。
模様選択キー２０が操作されると（ステップＳ２０）、表示装置１３を模様選択画面に切り換え（ステップＳ２１）、操作者は該画面を見ながら模様選択を実行する（ステップＳ２２）。選択された模様の格納されているＲＯＭカード１１の識別コードと模様の識別コード（模様毎に予め付された識別コードや格納されている先頭番地等）が記憶される。内蔵模様データ記憶装置１４に記憶されている模様の場合にはＲＯＭカード１１の識別コードのかわりに内蔵模様データ記憶装置１４であることを示すコードが記憶される（ステップＳ２３）。
次に操作者が組み合わせ指定キー２１を操作し、模様選択終了でない場合には（ステップＳ２４、２５）、ステップＳ２２に戻り次の模様選択が行われ、同様にＲＯＭカード１１の識別コードと模様の識別コードが記憶され、操作者が模様選択キー２０を再度操作して模様選択を終了するまで（ステップＳ２５）、上記動作を繰り返す。
【００２２】
次に図７により縫い実行動作を説明する。
選択され組み合わされた模様の刺繍縫いを実行するために操作者が始動／停止指令キー２４を操作して刺繍縫い実行指令を出すと（ステップＳ３０）、中央演算処理装置１０は前記選択した模様の識別コードを選択した順序にチェックして、選択模様が内蔵模様データ記憶装置１４に格納された模様であるか（ステップＳ３１）、現在装着されているＲＯＭカード１１に格納された模様であるか（ステップＳ３３）、判断する。内蔵模様データ記憶装置１４或いは装着されたＲＯＭカード１１に格納された模様である場合は、記憶した模様の識別コードに従って、内蔵模様データ記憶装置１４又はＲＯＭカード１１から該模様の縫い目形成データを読み出し、一時記憶装置１５に一時記憶して（ステップＳ３２、３４）、ステップＳ３８に飛ぶ。
模様が内蔵模様データ記憶装置１４の模様でもなく、また装着中のＲＯＭカード１１の模様でもない場合には中央演算処理装置１０は表示装置１３にＲＯＭカード１１交換の表示と、装着すべきＲＯＭカード１１の識別コードを表示して操作者にＲＯＭカード１１の交換を促す（ステップＳ３５）。ＲＯＭカード１１が交換されると（ステップＳ３６）、当該模様の縫い目形成データを読み出し、一時記憶装置１５に一時記憶する（ステップＳ３７）。なお、ステップＳ３６の動作は図５に示した通りである。
選択され或いは組み合わされた全ての模様に関する縫い目形成データが読み出されたか否か判断し（ステップＳ３８）、読み出されていなければステップＳ３１に戻り同様の動作を繰り返す。読み出しが完了していれば、選択した順序に模様の刺繍縫いを実行する（ステップＳ３９）。そして、全ての模様の刺繍縫いを終了したら（ステップＳ４０）、縫い動作を終わる。
【００２３】
なお、図７に刺繍縫い動作では一度全ての模様の縫い目形成データを一時記憶装置１５に記憶してから、縫い動作を実行しているが、模様毎に縫いを実行する方法も可能である。
この動作を図８により説明する。
選択され或いは組み合わされた模様の刺繍縫いを実行するために操作者が始動／停止指令キー２４を操作して刺繍縫い実行指令を出すと（ステップＳ５０）、中央演算処理装置１０は前記選択した模様の識別コードを選択した順序にチェックして、選択模様が内蔵模様データ記憶装置１４に格納された模様であるか（ステップＳ５１）、現在装着されているＲＯＭカード１１に格納された模様であるか（ステップＳ５２）、判断する。内蔵模様データ記憶装置１４或いは装着されたＲＯＭカード１１に格納された模様である場合は、記憶した模様の識別コードに従って、内蔵模様データ記憶装置１４又はＲＯＭカード１１から該模様の縫い目形成データを読み出し（ステップＳ５６）、刺繍縫いを実行する（ステップＳ５７）。
模様が内蔵模様データ記憶装置１４の模様でもなく、また装着中のＲＯＭカード１１の模様でもない場合には、中央演算処理装置１０は表示装置１３にＲＯＭカード１１交換の表示と、装着すべきＲＯＭカード１１の識別コードを表示して操作者にＲＯＭカード１１の交換を促す（ステップＳ５３）。ＲＯＭカード１１が交換されると（ステップＳ５４）、交換したＲＯＭカード１１から模様の縫い目形成データを読み出し（ステップＳ５６）、刺繍縫いを実行する（ステップＳ５７）。
刺繍縫いに際しては、縫い目形成データの読み出し毎に縫い実行を繰り返す（ステップＳ５８）。
そして、選択され或いは組み合わされた全ての模様が終了したか否か確認し（ステップＳ５９）、終了していれば動作を終わる。終了していなければ、次の模様についてステップＳ５１からの動作を繰り返す。
【００２４】
【発明の効果】
以上説明したように本発明の外部記憶媒体の模様情報に基づく刺繍縫いが可能なミシンは、外部記憶媒体から、模様を表示するための情報と識別するための情報とを読み出して記憶する手段を備え、ここに記憶された表示するための情報と識別するための情報により模様の表示と外部記憶媒体の識別情報の表示が行えるようになっているから、どの外部記憶媒体にどのような模様を形成するための情報が記憶されているのか簡単に知ることができる。また、前記外部記憶媒体の模様が選択され、表示された時は該記憶媒体を識別するための情報を表示し、前記内部記憶媒体の模様が選択され、表示された時は内部記憶媒体である旨の情報を表示するように構成されているため、模様と記憶媒体との関係が明確に把握できる。そのため模様の組み合わせ等を決定すること等も外部記憶媒体の接続をその都度行うことなく可能になる。
また表示するための情報を組み合わせて前記表示手段に組み合わせ模様を表示させる手段とこの手段により組み合わされた組み合わせ模様の刺繍縫いをミシン本体の刺繍縫い機構に実行させる手段を設けた場合には、外部記憶媒体の差し替えを行うことなく、組み合わせ模様を決定することが可能になる。
更に前記表示手段に、前記組み合わせ模様の刺繍縫いを実行するに必要な外部記憶媒体の識別情報を、前記記憶する手段に記憶された識別するための情報に基づいて表示させるように構成した場合には、模様の刺繍縫い実行の際に、必要とする外部記憶媒体を簡単に知ることが可能になる。
【図面の簡単な説明】
【図１】本発明の一実施例を示す機能ブロック図。
【図２】本発明の一実施例を更に詳細に示すブロック図。
【図３】本発明の一実施例を示す外観図。
【図４】本発明の一実施例の表示データ登録動作を示すフローチャート図。
【図５】本発明の一実施例のＲＯＭカード交換動作を示すフローチャート図。
【図６】本発明の一実施例の模様選択、組み合わせ動作を示すフローチャート図。
【図７】本発明の一実施例の刺繍縫い動作の一例を示すフローチャート図。
【図８】本発明の一実施例の刺繍縫い動作の他の例を示すフローチャート図。
【符号の説明】
１：外部記憶媒体、２：表示／識別情報記憶手段、３：表示手段、４：内部記憶媒体、５：表示制御手段、６：縫い実行制御手段、７：読み出し手段、８：縫い目形成機構、１０：中央演算処理装置、１１：ＲＯＭカード、１２：表示データ／識別コード記憶装置、１３：表示装置、１４：内蔵模様データ記憶装置、１５：一時記憶装置、１７：ＲＯＭカードリーダ、１８：スイッチ装置、２０：模様選択キー、２１：組み合わせ指定キー、２２：表示切り替えキー、２３：表示データ登録指令キー、２４：始動／停止指令キー、２５：ＲＯＭカード取出し釦、３０：モータ駆動回路、３１：Ｘ方向モータ、３２：Ｙ方向モータ、３３：刺繍枠、３４：針。
【図１】
0003744952.tif 000002
【図２】
0003744952.tif 000003
【図３】
0003744952.tif 000004
【図４】
0003744952.tif 000005
【図５】
0003744952.tif 000006
【図６】
0003744952.tif 000007
【図７】
0003744952.tif 000008
【図８】
0003744952.tif 000009